(57)【特許請求の範囲】
【請求項１】
中空構造を有する複数本の柱材と、
柱材の下端部に柱材を横断するように固着した下部ダイヤフラムと、
柱材の上端部に柱材を横断するように固着した上部ダイヤフラムと、
隣り合う柱材の下端部間を連結する下部梁材
及び隣り合う柱材の上端部間を連結する上部梁材で骨組を構成した建物ユニットの上に同構造の建物ユニットを積み重ね、
下階の建物ユニットの柱材の上部ダイヤフラムと上階の建物ユニットの柱材の下部ダイヤフラムをボルトで締め付けて下階の建物ユニットと上階の建物ユニットを連結する建物ユニットの連結構造であって、
中央部にボルト貫通穴を形成した座金と、
下部ダイヤフラムの柱材横断面に形成され、座金を整列配置したとき座金が挿通可能で、座金を非整列配置したとき座金が挿通不能となる所要形状を有する下部ダイヤフラムの座金用貫通穴と、
上部ダイヤフラムの柱材横断面に形成され、座金を整列配置したとき座金が挿通可能で、座金を非整列配置したとき座金が挿通不能となる所要形状を有し、かつ下部ダイヤフラムの座金用貫通穴と柱材の縦方向に沿って整列配置された上部ダイヤフラムの座金用貫通穴と、
各座金用貫通穴に嵌合する凸部を上下両面に有し、凸部の中央部に凸部が座金用嵌合穴に嵌合した状態で非整列配置にある座金の中央部が嵌合可能な凹部を形成し、かつ両凹部の中央部を貫通するボルト貫通穴を形成したブラケットを備え、
ブラケットを下階の建物ユニットの上部ダイヤフラムと上階の建物ユニットの下部ダイヤフラムとの間に介在させ、
ブラケットの下側凸部を下階の建物ユニットの上部ダイヤフラムの座金用貫通穴に嵌合し、ブラケットの上側凸部を上階の建物ユニットの下部ダイヤフラムの座金用貫通穴に嵌合し、
ブラケットの下側凸部の凹部に第１の座金の中央部を嵌合し、ブラケットの上側凸部の凹部に第２の座金の中央部を嵌合し、
両座金のボルト貫通穴及びブラケットの上下両凹部のボルト貫通穴にボルトを挿通し、
ボルトに螺合するナットで第１座金を上部ダイヤフラムに締め付けるとともに、第２座金を下部ダイヤフラムに締め付けたことを特徴とする建物ユニットの連結構造。
【請求項２】
中空構造を有する複数本の柱材と、
柱材の下端部に、柱材を横断するように固着した第１下部ダイヤフラム及び第１下部ダイヤフラムの上方で柱材を横断するように固着した第２下部ダイヤフラムと、
柱材の上端部に、柱材を横断するように固着した第１上部ダイヤフラム及び第１上部ダイヤフラムの下方で柱材を横断するように固着した第２上部ダイヤフラムと、
隣り合う柱材の下端部間を連結する下部梁材及び隣り合う柱材の上端部間を連結する上部梁材で骨組を構成した建物ユニットの上に同構造の建物ユニットを積み重ね、
下階の建物ユニットの柱材の第１上部ダイヤフラムと上階の建物ユニットの柱材の第１下部ダイヤフラムをボルトで締め付けて下階の建物ユニットと上階の建物ユニットを連結する建物ユニットの連結構造の施工方法であって、
中央部にボルト貫通穴を形成した座金と、
第１下部ダイヤフラムの柱材横断面に形成され、座金を整列配置したとき座金が挿通可能で、座金を非整列配置したとき座金が挿通不能となる所要形状を有する第１下部ダイヤフラムの座金用貫通穴と、
第２下部ダイヤフラムの柱材横断面に形成され、座金を整列配置したとき座金が挿通可能で、座金を非整列配置したとき座金が挿通不能となる所要形状を有し、かつ第１下部ダイヤフラムの座金用貫通穴と柱材の縦方向に沿って整列配置された第２下部ダイヤフラムの座金用貫通穴と、
第１上部ダイヤフラムの柱材横断面に形成され、座金を整列配置したとき座金が挿通可能で、座金を非整列配置したとき座金が挿通不能となる所要形状を有し、かつ第１下部ダイヤフラムの座金用貫通穴と柱材の縦方向に沿って整列配置された第１上部ダイヤフラムの座金用貫通穴と、
第２上部ダイヤフラムの柱材横断面に形成され、座金を整列配置したとき座金が挿通可能で、座金を非整列配置したとき座金が挿通不能となる所要形状を有し、かつ第１下部ダイヤフラムの座金用貫通穴と柱材の縦方向に沿って整列配置された第２上部ダイヤフラムの座金用貫通穴と、
各座金用貫通穴に嵌合する凸部を上下両面に有し、各凸部の中央部に凸部が座金用嵌合穴に嵌合した状態で非整列配置にある座金の中央部が嵌合可能な凹部を形成し、かつ両凹部の中央部を貫通するボルト貫通穴を形成したブラケットを備え、
第１工程で、ボルトの下端部に座金と同じ外形寸法を有するストッパプレートを固着したボルトの所定位置に第１のナットを螺合し、第１の座金をボルトに装着して第１ナットで抜け止めすることにより、ストッパプレートと第１座金が整列し、かつストッパプレートと第１座金の間隔が第１上部ダイヤフラムと第２上部ダイヤフラムの間隔と略等しいか若干短くなるように第１座金をボルトに取り付け、
第２工程で、下階の建物ユニットの柱材の第１上部ダイヤフラムの座金用貫通穴にボルトとともにストッパプレートと第１座金を挿通し、
第３工程で、ボルトを回してストッパプレートを下階の建物ユニットの柱材の第２上部ダイヤフラムの座金用貫通穴に対して非整列位置に配置するとともに、下階の柱材の第１上部ダイヤフラムの座金用貫通穴に対して非整列位置に配置し、これによりストッパプレートを第２上部ダイヤフラムの上面に載置してボルトを第２上部ダイヤフラムに立設するとともにボルトの上端部を第１上部ダイヤフラムの座金用貫通穴から突出させ、かつ第１座金を第１上部ダイヤフラムの下面に近接配置し、
第４工程で、ブラケットを下階の建物ユニットの柱材の第１上部ダイヤフラムに載置してブラケットの下側凸部を第１上部ダイヤフラムの座金用貫通穴に嵌合するとともに、ボルトの上端部を下側凸部に形成されている凹部のボルト貫通穴と上側凸部の凹部のボルト貫通穴に挿通して突出させ、第１座金の中央部を下側凸部に形成されている凹部に嵌合し、
第５工程で、上階の建物ユニットの柱材を下階の建物ユニットの柱材の第１上部ダイヤフラムに載置されているブラケットの上に載置して上階の建物ユニットの柱材の第１下部ダイヤフラムの座金用貫通穴にブラケットの上側凸部を嵌合し、ボルトの上端部を第１下部ダイヤフラムの座金用貫通穴から突出させ、
第６工程で、上階の建物ユニットの柱材の第１及び第２上部ダイヤフラムの座金用貫通穴と、同柱材の第２下部ダイヤフラムの座金用貫通穴を通して第２の座金をボルトの上端部に挿通するとともに、第２座金の中央部をブラケットの上側凸部の凹部に嵌合し、
第７工程で、上階の建物ユニットの柱材の第１及び第２上部ダイヤフラムの座金用貫通穴と、同柱材の第２下部ダイヤフラムの座金用貫通穴を通して第２のナットをボルトの上端部に螺合し、第２ナットによって第２座金を上階の建物ユニットの柱材の第１下部ダイヤフラムに締め付けるとともに、第１座金を下階の建物ユニットの柱材の第１上部ダイヤフラムに締め付けることを特徴とする建物ユニットの連結構造の施工方法。
【請求項３】
前記ブラケットに２個の前記凸部を所定の間隔をあけて並列に設け、一方の凸部に一方の建物ユニットの柱材のダイヤフラムに形成した座金用貫通穴に嵌合し、他方の凸部が前記一方の建物ユニットに隣接する建物ユニットの柱材のダイヤフラムに形成した座金用貫通穴に嵌合したことを特徴とする請求項１に記載の建物ユニットの連結構造。
【請求項４】
先端部にマグネットを有する長尺レンチを使用し、レンチ先端のマグネットで座金又はナットを吸着して上階の建物ユニットの柱材の第１及び第２上部ダイヤフラムの座金用貫通穴と、同柱材の第２下部ダイヤフラムの座金用貫通穴に挿通することを特徴とする請求項２に記載の建物ユニットの連結構造の施工方法。
【発明の詳細な説明】
【技術分野】
【０００１】
本発明は、集合住宅、ホテル、オフィス棟等に適したユニット式建築物を構成する建物ユニットを上下に連結する連結構造及び連結構造の施工方法に関する。
【背景技術】
【０００２】
建物ユニットの連結構造の一形式として、特開２００５−９８０７８号公報には、中空構造を有する柱材と、隣り合う柱材の下端部間を連結する下部梁材及び隣り合う柱材の上端部間を連結する上部梁材で骨組を構成した建物ユニットの上に同構造の建物ユニットを積み重ねてボルトで連結した建物ユニットの連結構造が開示されている。
【０００３】
この建物ユニットの連結構造では、下端部と上端部にそれぞれ下部ダイヤフラムと上部ダイヤフラムを固着した柱材が用いられている。下部ダイヤフラムと上部ダイヤフラムは柱材を横断するように固着されている。各ダイヤフラムの面積は柱材の断面積より大きく、柱材の下端部と上端部の周囲にそれぞれダイヤフラムによってフランジ面が形成されている。このフランジ面にボルト貫通穴が形成されている。
【０００４】
下階の建物ユニットと上階の建物ユニットは、下階の建物ユニットの柱材の上部ダイヤフラムのボルト貫通穴と上階の建物ユニットの柱材の下部ダイヤフラムのボルト貫通穴にボルトを挿通し、ナットで上部ダイヤフラムと下部ダイヤフラムを締め付けて連結されている。
【０００５】
また、特開２００５−３３６９８４号公報に開示されている建物ユニットの連結構造では、建物ユニットを構成する柱材として、柱材の下端部に固着した下部ダイヤフラムの柱材横断面にボルト貫通穴を形成し、柱材の上端部に固着した上部ダイヤフラムの柱材横断面にボルト貫通穴を形成した柱材を用いている。
【０００６】
この連結構造では、下階の建物ユニットの柱材の上部ダイヤフラムと上階の建物ユニットの下部ダイヤフラムを柱材の内部に配置されているボルト貫通穴にボルトを挿通して締め付けている。
【０００７】
この連結構造では柱材の下端部側面と上端部側面にボルト、ナット、レンチ等を柱材の内部に挿入するための作業用開口が形成されている。
【先行技術文献】
【特許文献】
【０００８】
【特許文献１】特開２００５−９８０７８号公報
【特許文献２】特開２００５−３３６９８４号公報
【発明の概要】
【発明が解決しようとする課題】
【０００９】
通常、ユニット式建築物の建物ユニットは予め工場で骨組を組み立てるとともに、内装と外装の仕上げも済ませたうえで、施工現場に搬入して連結される。柱材の下端部外周に形成したフランジ面と上端部外周に形成したフランジ面のボルト貫通穴に現場でボルトを装着して建物ユニットを連結する連結構造では、連結作業の後に建物ユニットの外観に露出しているボルトやナットを見えないようにする仕上げ作業が施工現場で必要となり、施工に手間がかかり、コストが高くなる。
【００１０】
一方、下部ダイヤフラムと上部ダイヤフラムの柱材横断面にボルト貫通穴を形成した柱材を用いた建物ユニットの連結構造では、ボルトやナットは柱材の内部に隠れて、建物ユニットの外観に露出しない。しかしながら、作業用開口が建物ユニットの外観に露出するので、施工現場で作業用開口を見えなくする仕上げ作業が必要となる。また、柱材側面に作業用開口を形成しているため、柱材の強度低下が避けられない。
【００１１】
本発明は上述した従来の建物ユニットの連結構造における問題点に鑑み、施工現場で建物ユニットを連結するボルトやナット等を見えなくする仕上げ作業を省略でき、かつ柱材の強度低下を来たすおそれのない建物ユニットの連結構造及び連結構造の施工方法を提供することを目的とする。
【課題を解決するための手段】
【００１２】
上記目的を達成するため請求項１に係る本願発明は、中空構造を有する複数本の柱材と、
柱材の下端部に柱材を横断するように固着した下部ダイヤフラムと、
柱材の上端部に柱材を横断するように固着した上部ダイヤフラムと、
隣り合う柱材の下端部間を連結する下部梁材
及び隣り合う柱材の上端部間を連結する上部梁材で骨組を構成した建物ユニットの上に同構造の建物ユニットを積み重ね、
下階の建物ユニットの柱材の上部ダイヤフラムと上階の建物ユニットの柱材の下部ダイヤフラムをボルトで締め付けて下階の建物ユニットと上階の建物ユニットを連結する建物ユニットの連結構造であって、
中央部にボルト貫通穴を形成した座金と、
下部ダイヤフラムの柱材横断面に形成され、座金を整列配置したとき座金が挿通可能で、座金を非整列配置したとき座金が挿通不能となる所要形状を有する下部ダイヤフラムの座金用貫通穴と、
上部ダイヤフラムの柱材横断面に形成され、座金を整列配置したとき座金が挿通可能で、座金を非整列配置したとき座金が挿通不能となる所要形状を有し、かつ下部ダイヤフラムの座金用貫通穴と柱材の縦方向に沿って整列配置された上部ダイヤフラムの座金用貫通穴と、
各座金用貫通穴に嵌合する凸部を上下両面に有し、凸部の中央部に凸部が座金用嵌合穴に嵌合した状態で非整列配置にある座金の中央部が嵌合可能な凹部を形成し、かつ両凹部の中央部を貫通するボルト貫通穴を形成したブラケットを備え、
ブラケットを下階の建物ユニットの上部ダイヤフラムと上階の建物ユニットの下部ダイヤフラムとの間に介在させ、
ブラケットの下側凸部を下階の建物ユニットの上部ダイヤフラムの座金用貫通穴に嵌合し、ブラケットの上側凸部を上階の建物ユニットの下部ダイヤフラムの座金用貫通穴に嵌合し、
ブラケットの下側凸部の凹部に第１の座金の中央部を嵌合し、ブラケットの上側凸部の凹部に第２の座金の中央部を嵌合し、
両座金のボルト貫通穴及びブラケットの上下両凹部のボルト貫通穴にボルトを挿通し、
ボルトに螺合するナットで第１座金を上部ダイヤフラムに締め付けるとともに、第２座金を下部ダイヤフラムに締め付けたことを特徴とする。
【００１３】
請求項２に係る本願発明は、中空構造を有する複数本の柱材と、
柱材の下端部に、柱材を横断するように固着した第１下部ダイヤフラム及び第１下部ダイヤフラムの上方で柱材を横断するように固着した第２下部ダイヤフラムと、
柱材の上端部に、柱材を横断するように固着した第１上部ダイヤフラム及び第１上部ダイヤフラムの下方で柱材を横断するように固着した第２上部ダイヤフラムと、
隣り合う柱材の下端部間を連結する下部梁材及び隣り合う柱材の上端部間を連結する上部梁材で骨組を構成した建物ユニットの上に同構造の建物ユニットを積み重ね、
下階の建物ユニットの柱材の第１上部ダイヤフラムと上階の建物ユニットの柱材の第１下部ダイヤフラムをボルトで締め付けて下階の建物ユニットと上階の建物ユニットを連結する建物ユニットの連結構造の施工方法であって、
中央部にボルト貫通穴を形成した座金と、
第１下部ダイヤフラムの柱材横断面に形成され、座金を整列配置したとき座金が挿通可能で、座金を非整列配置したとき座金が挿通不能となる所要形状を有する第１下部ダイヤフラムの座金用貫通穴と、
第２下部ダイヤフラムの柱材横断面に形成され、座金を整列配置したとき座金が挿通可能で、座金を非整列配置したとき座金が挿通不能となる所要形状を有し、かつ第１下部ダイヤフラムの座金用貫通穴と柱材の縦方向に沿って整列配置された第２下部ダイヤフラムの座金用貫通穴と、
第１上部ダイヤフラムの柱材横断面に形成され、座金を整列配置したとき座金が挿通可能で、座金を非整列配置したとき座金が挿通不能となる所要形状を有し、かつ第１下部ダイヤフラムの座金用貫通穴と柱材の縦方向に沿って整列配置された第１上部ダイヤフラムの座金用貫通穴と、
第２上部ダイヤフラムの柱材横断面に形成され、座金を整列配置したとき座金が挿通可能で、座金を非整列配置したとき座金が挿通不能となる所要形状を有し、かつ第１下部ダイヤフラムの座金用貫通穴と柱材の縦方向に沿って整列配置された第２上部ダイヤフラムの座金用貫通穴と、
各座金用貫通穴に嵌合する凸部を上下両面に有し、各凸部の中央部に凸部が座金用嵌合穴に嵌合した状態で非整列配置にある座金の中央部が嵌合可能な凹部を形成し、かつ両凹部の中央部を貫通するボルト貫通穴を形成したブラケットを備え、
第１工程で、ボルトの下端部に座金と同じ外形寸法を有するストッパプレートを固着したボルトの所定位置に第１のナットを螺合し、第１の座金をボルトに装着して第１ナットで抜け止めすることにより、ストッパプレートと第１座金が整列し、かつストッパプレートと第１座金の間隔が第１上部ダイヤフラムと第２上部ダイヤフラムの間隔と略等しいか若干短くなるように第１座金をボルトに取り付け、
第２工程で、下階の建物ユニットの柱材の第１上部ダイヤフラムの座金用貫通穴にボルトとともにストッパプレートと第１座金を挿通し、
第３工程で、ボルトを回してストッパプレートを下階の建物ユニットの柱材の第２上部ダイヤフラムの座金用貫通穴に対して非整列位置に配置するとともに、下階の柱材の第１上部ダイヤフラムの座金用貫通穴に対して非整列位置に配置し、これによりストッパプレートを第２上部ダイヤフラムの上面に載置してボルトを第２上部ダイヤフラムに立設するとともにボルトの上端部を第１上部ダイヤフラムの座金用貫通穴から突出させ、かつ第１座金を第１上部ダイヤフラムの下面に近接配置し、
第４工程で、ブラケットを下階の建物ユニットの柱材の第１上部ダイヤフラムに載置してブラケットの下側凸部を第１上部ダイヤフラムの座金用貫通穴に嵌合するとともに、ボルトの上端部を下側凸部に形成されている凹部のボルト貫通穴と上側凸部の凹部のボルト貫通穴に挿通して突出させ、第１座金の中央部を下側凸部に形成されている凹部に嵌合し、
第５工程で、上階の建物ユニットの柱材を下階の建物ユニットの柱材の第１上部ダイヤフラムに載置されているブラケットの上に載置して上階の建物ユニットの柱材の第１下部ダイヤフラムの座金用貫通穴にブラケットの上側凸部を嵌合し、ボルトの上端部を第１下部ダイヤフラムの座金用貫通穴から突出させ、
第６工程で、上階の建物ユニットの柱材の第１及び第２上部ダイヤフラムの座金用貫通穴と、同柱材の第２下部ダイヤフラムの座金用貫通穴を通して第２の座金をボルトの上端部に挿通するとともに、第２座金の中央部をブラケットの上側凸部の凹部に嵌合し、
第７工程で、上階の建物ユニットの柱材の第１及び第２上部ダイヤフラムの座金用貫通穴と、同柱材の第２下部ダイヤフラムの座金用貫通穴を通して第２のナットをボルトの上端部に螺合し、第２ナットによって第２座金を上階の建物ユニットの柱材の第１下部ダイヤフラムに締め付けるとともに、第１座金を下階の建物ユニットの柱材の第１上部ダイヤフラムに締め付けることを特徴とする。
【００１４】
そして、好ましくは、前記ブラケットに２個の前記凸部を所定の間隔をあけて並列に設け、一方の凸部に一方の建物ユニットの柱材のダイヤフラムに形成した座金用貫通穴に嵌合し、他方の凸部が前記一方の建物ユニットに隣接する建物ユニットの柱材のダイヤフラムに形成した座金用貫通穴に嵌合するように構成する。
【００１５】
また、好ましくは、先端部にマグネットを有する長尺レンチを使用し、レンチ先端のマグネットで座金又はナットを吸着して上階の建物ユニットの柱材の第１及び第２上部ダイヤフラムの座金用貫通穴と、同柱材の第２下部ダイヤフラムの座金用貫通穴に挿通する。
【発明の効果】
【００１６】
本願発明によれば、各ダイヤフラムの横断面に形成した座金用貫通穴にボルトを通し、このボルトに装着した座金を下階の建物ユニットと柱材の上部ダイヤフラムと上階の建物ユニットの柱材の下部ダイヤフラムにナットで締め付けて下階建物ユニットの柱材と上階の建物ユニットの柱材を連結するので、ボルト、ナット座金等が柱材の内部に隠されて建物ユニットの外観に露出しない。そのため、建物ユニットの連結作業の後にボルト等を見えなくする仕上げ作業を省略できる。
【００１７】
加えて、柱材の上下両端部に固着したダイヤフラムに形成した座金用貫通穴を通してボルト、座金、ナット、レンチ等を柱材の内部に柱材の縦方向に沿って挿入できるので、柱材の連結作業を行うための開口を柱材の側面に形成する必要がない。そのため、柱材の側面に形成される開口によって柱材の強度が低下するのを防止できる。
【００１８】
また、ブラケットに２個の凸部を所定の間隔をあけて並列に設け、一方の凸部に一方の建物ユニットの柱材のダイヤフラムに形成した座金用貫通穴に嵌合し、他方の凸部が前記一方の建物ユニットに隣接する建物ユニットの柱材のダイヤフラムに形成した座金用貫通穴に嵌合することにより、水平方向で隣接する建物ユニットの柱材同士をブラケットによって連結でき、建物ユニットの連結強度を高めることができる。
【００１９】
さらにまた、先端部にマグネットを有する長尺レンチを使用し、レンチ先端のマグネットで座金又はナットを吸着して上階の建物ユニットの柱材の第１及び第２上部ダイヤフラムの座金用貫通穴と、同柱材の第２下部ダイヤフラムの座金用貫通穴に挿通することにより、座金やナットのボルトへの取り付け作業を迅速、確実に実施でき、施工能率が向上する。
【図面の簡単な説明】
【００２０】
【図１】本発明の一実施例に係る建物ユニットの連結構造を備えたユニット式建築物を示す斜視図である。
【図２】柱材と土台コンクリート及び１階建物ユニットの柱材と２階建物ユニットの柱材の連結構造を示す断面図である。
【図３】図２の３−３線から切断した断面図である。
【図４】柱材の第１下部ダイヤフラムを示す平面図である。
【図５】ストッパプレートを示す斜視図である。
【図６】土台用ブラケットを示す斜視図である。
【図７】柱用ブラケットを示す斜視図である。
【図８】長尺レンチを示す正面図である。
【図９】長尺レンチの筒部を示す底面図である。
【図１０】長尺レンチの筒部を示す断面図である。
【図１１】コンクリート製土台に１階建物ユニットの柱材を固定する作業の説明図である。
【図１２】コンクリート製土台に１階建物ユニットの柱材を固定する作業の説明図である。
【図１３】コンクリート製土台に１階建物ユニットの柱材を固定する作業の説明図である。
【図１４】１階建物ユニットの柱材と２階建物ユニットの柱材を連結するボルト、ストッパプレート、座金を示す斜視図である。
【図１５】１階建物ユニットの柱材と２階建物ユニットの柱材を連結する作業の説明図である。
【図１６】１階建物ユニットの柱材と２階建物ユニットの柱材を連結する作業の説明図である。
【図１７】１階建物ユニットの柱材と２階建物ユニットの柱材を連結する作業の説明図である。
【図１８】１階建物ユニットの柱材の第１上部ダイヤフラムを示す平面図である。
【図１９】１階建物ユニットの柱材と２階建物ユニットの柱材を連結する作業の説明図である。
【図２０】２階建物ユニットの柱材の第１上部ダイヤフラムを示す平面図である。
【実施例】
【００２１】
以下に本発明を図面に基づき説明するに、図１には本発明の一実施例に係る建物ユニット１０の連結構造を備えたユニット式建築物１００の一例が示されている。当該ユニット式建築物１００は５階建てで、各階は横５棟、奥２棟の計１０棟の建物ユニット１０で構成されている。
【００２２】
各建物ユニット１０は４本の鋼管製柱材２０と、隣接する柱材２０の上端部を連結する形鋼材製上側梁材３０、隣接する柱材２０の下端部を連結する形鋼材製下側梁部材４０から構成される骨組を備えている。建物ユニット１０は予め工場で骨組を組み立て、内装及び外装の仕上げも済ませたうえで、施工現場に搬入される。そして、水平及び垂直方向に隣接する建物ユニット１０同士を連結してユニット式建築物１００に組み立てられる。なお、図１には建物ユニット１０の骨組だけを図示し、内装や外装は省略されている。
【００２３】
図２及び図３には、図１に領域Ａで示す１階の建物ユニット１０の土台部分の詳細な構造と、図１に領域Ｂで示す一階の建物ユニットと２階の建物ユニットの詳細な連結構造を図示する。鋼管製柱材２０は図４に示すように、断面正方形の中空構造を有し、柱材の下端面開口には鉄板製で正方形の第１下部ダイヤフラム２１が柱材２０を横断するように溶接されている。第１下部ダイヤフラム２１は柱材２０の断面積より広い断面積を有し、柱材２０の下端面外周部にフランジ面２１ａを形成している。また、第１下部ダイヤフラム２１の柱材横断面の中央部には略長方形の座金用貫通穴２１ｂが形成されている。さらにまた、柱材２０の下端部の第１下部ダイヤフラム２１の上方の位置に第２下部ダイヤフラム２２が柱材２０を横断するように溶接されている。第２下部ダイヤフラム２２は第１下部ダイヤフラム２１より厚みが若干薄いものの、第１下部ダイヤフラム２１と同じ外形寸法を有し、柱材２０の下端部にフランジ面２２ａを形成し、柱材横断面の中央部に第１下部ダイヤフラム２１の座金用貫通穴２１ｂと同じ外形寸法の座金用貫通穴２２ｂが形成されて。第２下部ダイヤフラム２２の座金用貫通穴２２ｂは第１下部ダイヤフラム２１の座金用貫通穴２１ｂに柱２０の縦方向に沿って整列するように配置されている。
【００２４】
柱材２０の上端面開口には第１上部ダイヤフラム２３が柱材２０を横断するように溶接され、第１上部ダイヤフラム２３の下方に第２上部ダイヤフラム２４が柱材を横断するように溶接されている。第１上部ダイヤフラム２３は第１下部ダイヤフラム２１と同じ外形寸法を有し、第２上部ダイヤフラム２４は第２下部ダイヤフラム２２と同じ外形寸法を有する。また、第１上部ダイヤフラム２３と第２上部ダイヤフラム２４もそれぞれ柱材２０の外周部にフランジ面２３ａ，２４ａを形成している。さらにまた、第１上部ダイヤフラム２３と第２上部ダイヤフラム２４はそれぞれ第１下部ダイヤフラム２１の座金用貫通穴２１ｂと同じ形状寸法の座金貫通穴２３ｂ，２４ｂ（図１１参照）が形成されている。そして、これら第１上部ダイヤフラム２３の座金用貫通穴２３ｂと第２上部ダイヤフラム２４の座金用貫通穴２４ｂは柱２０の縦方向に沿って第１下部ダイヤフラム２１の座金用貫通穴２１ｂに整列している。
【００２５】
ユニット式建築物１００の１階を構成する建物ユニット１０の柱材２０はその下端部が土台用ブラケット５０とアンカーボルト６０、座金７０及びナット８０でコンクリート製土台９０に立設して固定されている。アンカーボルト６０はコンクリート製土台９０に埋設され、その上端部が土台表面から突出している。
【００２６】
座金７０は図５に示すように、長方形を有し、中央部にボルト貫通穴７０ａが形成されている。この座金７０は、各ダイヤフラム２１，２２，２３，２４に形成した座金用貫通穴２１ｂ，２２ｂ，２３ｂ，２４ｂに整列配置したとき該座金用貫通穴２１ｂ，２２ｂ，２３ｂ，２４ｂを挿通可能で、非整列配置では挿通不能となるように所要の外形寸法に設定されている。
【００２７】
土台用ブラケット５０は図６に示すように、長方形のベースプレート５１と、ベースプレート５１の上面に所定の間隔をあけてベースプレート５１の並列に整列配置された２個の凸部５２から成り、各凸部５２の中央部には溝状凹部５２ａが形成され、各溝状凹部５２ａの中央部にボルト貫通穴５２ｂが形成されている。各凸部５２は各ダイヤフラム２１，２２，２３，２４の座金用貫通穴２１ｂ，２２ｂ，２３ｂ，２４ｂに対して整列配置することにより、該座金用貫通穴２１ｂ，２２ｂ，２３ｂ，２４ｂに嵌合するように所用の外形寸法に設定されている。また、溝状凹部５２ａは座金７０の中央部が嵌合するように、かつ凸部５２が座金用貫通穴２１ｂ，２２ｂ，２３ｂ，２４ｂに嵌合するように整列配置された状態で座金７０の中央部が嵌合したとき、この座金７０が座金用貫通穴２１ｂ，２２ｂ，２３ｂ，２４ｂに対して非整列配置となるように設定されている。
【００２８】
土台用ブラケット５０は、アンカーボルト６０の上端部がボルト貫通穴５２ｂを挿通するようにコンクリート製土台９０の表面に載置される。そして、隣接する２棟の１階建物ユニット１０の柱材２０は、第１下部ダイヤフラム２１の座金用貫通穴２１ｂに土台用ブラケット５０の各凸部５２が嵌合するように、土台用ブラケット５０に載置されている。また、アンカーボルト６０の上端部は座金７０のボルト貫通穴７０ａを貫通し、座金７０の中央部が溝状凹部５２ａに嵌合している。この座金７０はアンカーボルト６０の上端部にねじ付けたナット８０で第１下部ダイヤフラム２１に締め付られ、これにより柱材２０がコンクリート製土台９０に固定されている。
【００２９】
１階の建物ユニット１０の柱材２０の上端部に２階の建物ユニット１０の柱材２０の下端部が柱用ブラケット５５、ボルト６１、座金７１，７２、ナット８０を用いて連結されている。柱用ブラケット５５は図７に示すように、土台用ブラケット５０のベースプレートと同じ外形寸法を有するベースプレート５６を有し、ベースプレート５６の上下両面に凸部５７が一体に設けられている。各凸部５７には土台用ブラケット５０の凸部５２と同じ形状構造の溝状凹部５７ａとボルト貫通穴５７ｂが形成されている。座金７１，７２は座金７０と同じ形状構造を有し、それぞれ中央部にボルト貫通穴７１ａ，７２ａ（図１４参照）が形成されている。
【００３０】
柱用ブラケット５５は１階の建物ユニット１０の柱材２０の第１上部ダイヤフラム２３と２階の建物ユニット１０の柱材２０の第１下部ダイヤフラム２１の間に介挿され、柱用ブラケット５５の下側凸部５７が第１上部ダイヤフラム２３の座金用貫通穴２３ｂに嵌合し、上側凸部５７が第１下部ダイヤフラム２１の座金貫通穴２１ｂに嵌合している。
【００３１】
また、柱用ブラケット５５の下側凸部５７の溝状凹部５７ａに第１の座金７１の中央部が嵌合し、上側凸部５７の溝状凹部５７ａに第２の座金７２の中央部が嵌合している。溝状凹部５７ａに嵌合した上下両座金７１，７２はそれぞれ第１上部ダイヤフラム２３の座金用貫通穴２３ｂと第１下部ダイヤフラム２１の座金用貫通穴２１ｂに対して非整列位置に配置されている。
【００３２】
上下両座金７１，７２のボルト貫通穴７１ａ，７２ａ及び柱用ブラケット５５のボルト貫通穴５７ａにボルト６１が貫通し、ボルト６１に螺合するナット８０で第１座金７１を第１上部ダイヤフラム２３に締め付けるとともに、第２座金７２を第１下部ダイヤフラム２１に締め付けて、１階の建物ユニット１０の柱材２０と２階の建物ユニット１０の柱材２０が連結されている。
なお、詳しくは後述するが、ボルト６１の下端部にストッパプレート７３がナット８０で取り付けられている。また、下側梁材４０の端部は第１下部ダイヤフラム２１と第２下部ダイヤフラム２２のフランジ面２１ａ，２２ａに溶接されている。同様に、上側梁材４０の端部は第１上部ダイヤフラム２３と第２上部ダイヤフラム２４のフランジ面２３ａ，２４ａに溶接されている。
【００３３】
次に、土台９０に柱材２０を固定する作業工程及び１階の柱材２０と２階の柱材２０を連結する作業工程を説明する。これらの作業工程に使用するロングレンチを図８，９，１０に図示する。ロングレンチ６３は長尺ロッド６３ａの上端部にハンドル６３ｂがまた、下端部に筒部６３ｃが一体設けられている。筒部６３ｃはナット８０が嵌合する断面正六角形のナット穴６３ｄを有する。筒部６３ｃの下端面の外周部に一対のマグネット６３ｅが対称位置に固着されている。この長尺レンチ６３を使用することにより、ナット穴６３ｄに嵌合してナット８０を保持できるだけでなく、マグネット６３ｅによって座金７０，７１，７２をナット穴６３ｄの開口端面に吸着保持できる。また、長尺ロッド６３ａは所要の長さを有するので、柱材２０の第１上部ダイヤフラム２３の座金用貫通穴２３ｂから筒部６３ｃを挿入し、柱材２０の第１下部ダイヤフラム２１の座金用貫通穴３１ｂまで筒部６３ｃを届かせることができる。
【００３４】
コンクリート製土台９０に１階の建物ユニット１０の柱材２０を固定するには、図１１に示すようにコンクリート製土台９０の表面に土台用ブラケット５０を載置し、ブラケット５０の一方のボルト貫通穴５２ｂに一方のアンカーボルト６０の上端部を貫通して突出させるとともに、他方の貫通穴５２ｂに他方のアンカーボルト６０の上端部を貫通して突出させる。そして、一方の１階建物ユニットの柱材２０と、この１階建物ユニット１０に水平方向で隣接する１階建物ユニット１０の柱材２０を土台用ブラケット５０の上に載置し、柱材２０の第１下部ダイヤフラム２１の座金用貫通穴２１ｂに土台用ブラケット５０の凸部５２を嵌合させる。
【００３５】
次に、ロングレンチ６３の筒部６３ｃの先端面にマグネット６３ｅで座金７０を吸着保持し、吸着保持した座金７０を柱材２０の第１上部ダイヤフラム２３、第２上部ダイヤフラム２４、及び第２下部ダイヤフラム２２の座金用貫通穴２３ｂ，２４ｂ，２２ｂに対して整列配置して通過させ、図１２に示すように、座金７０のボルト貫通穴７０ａにアンカーボルト６０の上端部を挿通する。
【００３６】
続いて、ロングレンチ６３を回して、図１３に示すように座金７０を非整列位置に配置してその中央部を土台用ブラケット５０の溝状凹部５２ａに嵌合させる。次に、ロングレンチ６３の筒部６３ｃのナット穴６３ｄにナット８０を嵌着し、柱材２０の第１上部ダイヤフラム２３、第２上部ダイヤフラム２４、及び第２下部ダイヤフラム２２の座金用貫通穴２３ｂ，２４ｂ，２２ｂを通過させて、アンカーボルト６０の上端部にねじ付け、座金７０を第１下部ダイヤフラム２１に締め付け、これにより柱材２０をコンクリート製土台９０に固定する。
【００３７】
次に１階建物ユニット１０の柱材２０に２階建物ユニット１０の柱材２０を連結する作業を説明する。図１４に示すように、１階建物ユニットの柱材２０と２階建物ユニットの柱材２０を連結するボルト６１の下端部にはストッパプレート７３として、座金７０と同じものがボルトヘッド６１ａとナット８０で固着されている。また、このボルト６１には第１座金７１が挿通され、所定位置にナット８０で抜け止めされている。ストッパプレート７３と第１座金７１は互いに整列位置に配置され、両者の間隔は略第１下部ダイヤフラム２１と第２下部ダイヤフラム２２の間隔に略等しいか、若干短く設定されている。
【００３８】
ボルト６１に取り付けられたストッパプレート７３と第１座金７１は、図１５に示すように、１階建物ユニット１０の柱材２０の第１上部ダイヤフラム２３の座金用貫通穴２３ｂに対して整列配置して挿通させる。この場合は必ずしもロングレンチ６３を使用しなくても作業者がボルト６１を手でもって作業できる。
【００３９】
続いて、図１６に示すように、ボルト６１を回して、ストッパプレート７３を１階建物ユニット１０の柱材２０の第２上部ダイヤフラム２４の座金用貫通穴２４ｂに対して非整列位置に配置するとともに、１階建物ユニット１０の柱材２０の第１上部ダイヤフラム２３の座金用貫通穴２３ｂに対して非整列位置に配置する。これによりストッパプレート７３を第２上部ダイヤフラム２４の上面に載置してボルト６１を第２上部ダイヤフラム２４に立設し、ボルト６１の上端部を第１上部ダイヤフラム２３の座金用貫通穴２３ｂから突出させ、かつ第１座金７１を第１上部ダイヤフラム２３の下面に近接配置する。
【００４０】
次に、図１７に示すように、柱用ブラケット５５を１階建物ユニット１０の柱材２０の第１上部ダイヤフラム２３に載置してブラケット５５の下側凸部５７を第１上部ダイヤフラム２３の座金用貫通穴２３ｂに嵌合する。また、ボルト６１の上端部を下側凸部５７に形成されている凹部５７ａのボルト貫通穴５７ｂと上側凸部５７の凹部５７ａのボルト貫通穴５７ｂに挿通して突出させる。そして、図１８に示すように、第１座金７１の中央部を下側凸部５７の凹部５７ａに嵌合する。ボルト６１に取り付けたストッパプレート７３と第１座金７１の間隔は第１上部ダイヤフラム２３と第２上部ダイヤフラム２４の間隔と略等しいか、若干短く設定されているので、図１７に示す状態で、第１座金７１は下側凸部５７の凹部５７ａに係合している。
【００４１】
続いて、図１９に示すように、２階建物ユニット１０の柱材２０を１階建物ユニット１０の柱材２０の第１上部ダイヤフラム２３に載置されている柱用ブラケット５５の上に載置して、１階建物ユニット１０の柱材２０の第１下部ダイヤフラム２１の座金用貫通穴２１ｂに柱用ブラケット５５の上側凸部５７を嵌合し、ボルト６１の上端部を第１下部ダイヤフラム２１の座金用貫通穴２１ｂから突出させる。
【００４２】
次に、長尺レンチ６３を使って、図２に示すように、１階建物ユニット１０の柱材２０の第１上部ダイヤフラム２３及び第２上部ダイヤフラム２４の座金用貫通穴２３ｂ，２４ｂと、同柱材２０の第２下部ダイヤフラム２２の座金用貫通穴２２ｂを通して第２の座金７２をボルト６１の上端部に挿通するとともに、図２０に示すように、第２座金７２の中央部をブラケット５５の上側凸部５７の凹部５７ａに嵌合する。続いて、長尺レンチ６３で、１階建物ユニット１０の柱材２０の第１上部ダイヤフラム２４及び第２上部ダイヤフラム２３の座金用貫通穴２４ｂ，２３ｂと、同柱材２０の第２下部ダイヤフラム２２の座金用貫通穴２２ｂを通して第２のナット８０をボルト６１の上端部に螺合し、第２ナット８０によって第２座金７２を２階建物ユニット１０の柱材２０の第１下部ダイヤフラム２１に締め付けるとともに、第１座金７１を１階の建物ユニット１０の柱材２０の第１上部ダイヤフラム２３に締め付ける。
【００４３】
本実施例によれば、各ダイヤフラム２１，２２，２３，２４の横断面に形成した座金用貫通穴２１ｂ，２２ｂ，２３ｂ，２４ｂにボルト６１を通し、このボルト６１に装着した座金７１，７２を１階の建物ユニット１０の柱材２０の上部ダイヤフラム２３と２階の建物ユニット１０の柱材２０の下部ダイヤフラム２１にナット８０で締め付けて１階建物ユニット１０の柱材２０と２階建物ユニット１０の柱材２０を連結するので、ボルト６１、ナット８０、座金７１，７２等が柱材２０の内部に隠されて建物ユニット１０の外観に露出しない。そのため、建物ユニットの連結作業の後にボルト６１等を見えなくする仕上げ作業を省略できる。
【００４４】
加えて、柱材２０の上下両端部に固着したダイヤフラム２１，２２，２３，２４に形成した座金用貫通穴２１ｂ，２２ｂ，２３ｂ，２４ｂを通してボルト６１、座金７１，７２、ナット８０、レンチ６３等を柱材２０の内部に柱材２０の縦方向に沿って挿入できるので、柱材２０の連結作業を行うための開口を柱材２０の側面に形成する必要がない。そのため、柱材２０の側面に形成される開口によって柱材の強度が低下するのを防止できる。
【００４５】
また、ブラケット５５に２個の凸部５７を所定の間隔をあけて並列に設け、一方の凸部５７に一方の建物ユニット１０の柱材２０のダイヤフラム２１，２３に形成した座金用貫通穴２１ｂ，２３ｂに嵌合し、他方の凸部５７が一方の建物ユニット１０に隣接する建物ユニット１０の柱材２０のダイヤフラム２１，２３に形成した座金用貫通穴２１ｂ，２３ｂに嵌合することにより、水平方向で隣接する建物ユニット１０の柱材２０同士をブラケット５５によって連結でき、建物ユニット１０の連結強度を高めることができる。
【００４６】
さらにまた、先端部にマグネット６３ｃを有する長尺レンチ６３を使用し、レンチ６３先端のマグネット６３ｃで座金７１，７２又はナット８０を吸着して１階の建物ユニット１０の柱材２０の第１上部ダイヤフラム２３及び第２上部ダイヤフラム２４の座金用貫通穴２３ｂ，２４ｂと、同柱材２０の第２下部ダイヤフラム２２の座金用貫通穴２２ｂに挿通することにより、座金７１，７２やナット８０のボルト６１への取り付け作業を迅速、確実に実施でき、施工能率が向上する。
【符号の説明】
【００４７】
１０…建物ユニット
２０…柱材
２１…第１下部ダイヤフラム
２１ｂ…座金用貫通穴
２２…第２下部ダイヤフラム
２２ｂ…座金用貫通穴
２３…第１上部ダイヤフラム
２３ｂ…座金用貫通穴
２４…第２上部ダイヤフラム
２４ｂ…座金用貫通穴
５５…ブラケット
５７…凸部
５７ａ…凹部
５７ｂ…ボルト貫通穴
６１…ボルト
６３…長尺レンチ
６３ｅ…マグネット
７０…ストッパプレート
７０ａ…ボルト貫通穴
７１，７２…座金
７１ａ，７２ａ…ボルト貫通穴
８０…ナット
【図１】
0005138739.tif 000002
【図２】
0005138739.tif 000003
【図３】
0005138739.tif 000004
【図４】
0005138739.tif 000005
【図５】
0005138739.tif 000006
【図６】
0005138739.tif 000007
【図７】
0005138739.tif 000008
【図８】
0005138739.tif 000009
【図９】
0005138739.tif 000010
【図１０】
0005138739.tif 000011
【図１１】
0005138739.tif 000012
【図１２】
0005138739.tif 000013
【図１３】
0005138739.tif 000014
【図１４】
0005138739.tif 000015
【図１５】
0005138739.tif 000016
【図１６】
0005138739.tif 000017
【図１７】
0005138739.tif 000018
【図１８】
0005138739.tif 000019
【図１９】
0005138739.tif 000020
【図２０】
0005138739.tif 000021